(57)【特許請求の範囲】
【請求項１】
筐体の前面開口部に開閉可能に設ける扉に、少なくとも引手を組み込んだ操作ユニットを装着してなるキャビネットにおける扉の開閉装置であって、前記扉の表面板には、前記操作ユニットの引手を前面側に出現させるために引手開口部を形成するとともに、該引手開口部の周囲に複数の係合片を背面側へ向けて形成し、前記操作ユニットの本体部に前記係合片に係合する弾性爪を形成し、前記操作ユニットの弾性爪を前記扉の係合片に内外から係合した状態で、前記操作ユニットを覆うように装着した裏カバーの内部に突設したサポート部を、前記弾性爪の背後に当接して、前記係合片に対する係合解除を規制してなることを特徴とするキャビネットにおける扉の開閉装置。
【請求項２】
前記操作ユニットの本体部には、前面開放した引手装着空間を有する引手枠部を形成するとともに、該引手枠部の周囲に間隔を置いて外枠部を形成し、前記引手枠部と外枠部の間は後方へ開放した挿入空間となっており、前記引手枠部の外側に対応する前記外枠部に前記弾性爪を一体成形し、前記裏カバーのサポート部を前記挿入空間内に受け入れて前記弾性爪の背後に当接してなる請求項１記載のキャビネットにおける扉の開閉装置。
【請求項３】
前記操作ユニットの本体部に設けた前記引手枠部の一側の前記外枠部に、施錠具を保持する前面開口の施錠具収容部を形成してなる請求項２記載のキャビネットにおける扉の開閉装置。
【請求項４】
前記扉の表面板に形成した引手開口部の口縁を背面側へ鋭角に折曲して傾斜板を形成し、該傾斜板の一部に前記表面板に対して直角に係合片を形成し、該係合片には前記弾性爪を係合する係合孔を形成してなる請求項１〜３何れか１項に記載のキャビネットにおける扉の開閉装置。
【発明の詳細な説明】
【技術分野】
【０００１】
本発明は、キャビネットにおける扉の開閉装置に係わり、更に詳しくは引手を備えた扉の開閉を制御するキャビネットにおける扉の開閉装置に関するものである。
【背景技術】
【０００２】
従来から、筐体の前面開口部に開閉可能に設ける扉に、引手と施錠具及び前記引手に連動して筐体の框部に係脱するラッチとを備えたキャビネットは各種提供されている。通常、引手は引手枠に組み込まれてユニット化され、その操作ユニットを扉の開口部の裏面に取付け、引手を開口部から臨ませている。
【０００３】
特許文献１には、把手を操作用のシャフトに嵌着して把手枠内に回動可能に組み込み、該把手枠の外面周縁部に爪部を突設するとともに、係合凹部を設ける一方、該把手枠を取付ける引出しの前面板には開口部と、その周縁に裏面側に直角に突出した突出枠と一部に爪孔を有する係合片を形成し、前記把手枠の周縁部を前記開口部内に嵌合した状態で、前記爪部を係合片に係合させるとともに、前記係合凹部を突出枠に係合させて取付け、該把手枠の裏面に裏面板を接合状態で取付ける構造が記載されている。また、特許文献２にも同様な操作ユニットの取付構造が開示されている。
【０００４】
しかし、特許文献１及び２に記載の操作ユニットの取付構造は、該操作ユニットの背面が引出し前板を構成する裏面板に当接して保持される構造であり、爪部と係合片の爪孔との係合強度は比較的低くても問題は少ないが、係合片が外側へ変形すると、爪部と爪孔との係合が外れるという恐れがある。そのため、特許文献１に記載の構造では、把手枠の縁部外面と突起との間に形成された係合凹部に突出枠を係合させているが、必然的に前面板の開口部の内縁に把手枠の周縁部が露出するようになる。把手枠の周縁部が開口部に露出すると、外観性におけるスッキリ感が損なわれるばかりでなく、開口部と把手枠の周縁部との間の隙間が攻撃対象となり防盗性に問題が生じる。
【０００５】
また、特許文献３には、ケース本体に引手を回動可能に取付けるとともに、押釦錠装置を組み込んだ状態で扉の表面板の背面に取付けた後、作動軸の両端にラッチを固定するとともに、中間位置に作動体を固定した状態で、該作動軸の作動体を前記ケース本体の内部に収容して指掛け体に一体となって回動する連動体と連係させるとともに、両端のラッチの基部を扉の上下縁部の軸受に回動可能に支持し、最後にケース本体に裏カバーを装着して前記押釦錠装置などの機構部を外覆する構造が開示されている。ここで、前記ケース本体を扉の表面板の背面に取付ける構造は、表面板に開口した引手開口部の口縁の背面に、ロ字状の固定板に支持片を直角に立起した取付金具をスポット溶接し、該支持片に突設した三角ダボにケース本体の周面に形成した段部を係合する構造である。ここで、回動式扉の場合、引出し前板のように裏面板を設けて、ケース本体が扉内に内蔵されることはなく、その代わりに裏カバーをケース本体に装着しているのであるが、前記取付金具の支持片が変形してケース本体が外れる恐れもある。
【先行技術文献】
【特許文献】
【０００６】
【特許文献１】実公平７−４３０３号公報
【特許文献２】実開平６−７５２３９号公報
【特許文献３】特開２０１３−０１９１７２号公報
【発明の概要】
【発明が解決しようとする課題】
【０００７】
そこで、本発明が前述の状況に鑑み、解決しようとするところは、筐体の前面開口部に開閉可能に設ける扉に、少なくとも引手を組み込んだ操作ユニットを装着してなるキャビネットにおいて、操作ユニットを扉の表面板の背面に嵌合作業のみで簡単に取付けることができ、しかも扉表面側からの攻撃に対しても外れる恐れがないキャビネットにおける扉の開閉装置を提供する点にある。
【課題を解決するための手段】
【０００８】
本発明は、前述の課題解決のために、筐体の前面開口部に開閉可能に設ける扉に、少なくとも引手を組み込んだ操作ユニットを装着してなるキャビネットにおける扉の開閉装置であって、前記扉の表面板には、前記操作ユニットの引手を前面側に出現させるために引手開口部を形成するとともに、該引手開口部の周囲に複数の係合片を背面側へ向けて形成し、前記操作ユニットの本体部に前記係合片に係合する弾性爪を形成し、前記操作ユニットの弾性爪を前記扉の係合片に内外から係合した状態で、前記操作ユニットを覆うように装着した裏カバーの内部に突設したサポート部を、前記弾性爪の背後に当接して、前記係合片に対する係合解除を規制してなることを特徴とするキャビネットにおける扉の開閉装置を構成した（請求項１）。
【０００９】
ここで、前記操作ユニットの本体部には、前面開放した引手装着空間を有する引手枠部を形成するとともに、該引手枠部の周囲に間隔を置いて外枠部を形成し、前記引手枠部と外枠部の間は後方へ開放した挿入空間となっており、前記引手枠部の外側に対応する前記外枠部に前記弾性爪を一体成形し、前記裏カバーのサポート部を前記挿入空間内に受け入れて前記弾性爪の背後に当接してなることが好ましい（請求項２）。
【００１０】
また、前記操作ユニットの本体部に設けた前記引手枠部の一側の前記外枠部に、施錠具を保持する前面開口の施錠具収容部を形成してなることも好ましい（請求項３）。
【００１１】
更に、前記扉の表面板に形成した引手開口部の口縁を背面側へ鋭角に折曲して傾斜板を形成し、該傾斜板の一部に前記表面板に対して直角に係合片を形成し、該係合片には前記弾性爪を係合する係合孔を形成してなるとより好ましい（請求項４）。
【発明の効果】
【００１２】
以上にしてなる請求項１に係る発明のキャビネットにおける扉の開閉装置は、筐体の前面開口部に開閉可能に設ける扉に、少なくとも引手を組み込んだ操作ユニットを装着してなるキャビネットにおける扉の開閉装置であって、前記扉の表面板には、前記操作ユニットの引手を前面側に出現させるために引手開口部を形成するとともに、該引手開口部の周囲に複数の係合片を背面側へ向けて形成し、前記操作ユニットの本体部に前記係合片に係合する弾性爪を形成し、前記操作ユニットの弾性爪を前記扉の係合片に内外から係合した状態で、前記操作ユニットを覆うように装着した裏カバーの内部に突設したサポート部を、前記弾性爪の背後に当接して、前記係合片に対する係合解除を規制してなるので、少なくとも引手を組み込んでユニット化した操作ユニットを扉の表面板の背面に嵌合作業のみで簡単に取付けることができ、しかも弾性爪の背後に裏カバーのサポート部が当接していることから、弾性爪と係合片の係合状態を確実に維持でき、扉表面側からの攻撃に対しても外れる恐れがない。
【００１３】
請求項２によれば、前記操作ユニットの本体部には、前面開放した引手装着空間を有する引手枠部を形成するとともに、該引手枠部の周囲に間隔を置いて外枠部を形成し、前記引手枠部と外枠部の間は後方へ開放した挿入空間となっており、前記引手枠部の外側に対応する前記外枠部に前記弾性爪を一体成形し、前記裏カバーのサポート部を前記挿入空間内に受け入れて前記弾性爪の背後に当接してなるので、操作ユニットの本体部と裏カバーを合成樹脂で一体成形でき、操作ユニットの本体部が全て裏カバーで隠れるので外観性に優れている。
【００１４】
請求項３によれば、前記操作ユニットの本体部に設けた前記引手枠部の一側の前記外枠部に、施錠具を保持する前面開口の施錠具収容部を形成してなるので、操作ユニットを扉の表面板の背面に取付けることで、施錠具を表面板と施錠具収容部で取り囲み、更に本体部が裏カバーで外覆されるので、施錠具に対する攻撃に対して強固である。
【００１５】
請求項４によれば、前記扉の表面板に形成した引手開口部の口縁を背面側へ鋭角に折曲して傾斜板を形成し、該傾斜板の一部に前記表面板に対して直角に係合片を形成し、該係合片には前記弾性爪を係合する係合孔を形成してなるので、引手開口部に引手のみが現れ、引手枠部を傾斜板に背後に隠すことができ、また傾斜板と係合片の加工工数が少なく、安価に製造することができる。
【図面の簡単な説明】
【００１６】
【図１】本発明に係るキャビネットの斜視図である。
【図２】扉を開いた状態のキャビネットの斜視図である。
【図３】扉の斜視図である。
【図４】引手と施錠具を組み込む操作ユニットと裏カバーの分解斜視図である。
【図５】扉に操作ユニットを取付ける構造を示す扉の部分斜視図である。
【図６】図５のＸ−Ｘ線断面図である。
【図７】扉にラッチ駆動機構を組み付けた状態の部分斜視図である。
【図８】扉に操作ユニットを取付ける状態の部分斜視図である。
【図９】扉に取付けた操作ユニットに裏カバーを装着する状態の部分斜視図である。
【図１０】扉に操作ユニットと裏カバーを装着した状態の部分横断面図である。
【図１１】同じく扉に操作ユニットと裏カバーを装着した状態の部分縦断面図である。
【図１２】ラッチ駆動機構のシャフトと操作ユニット及び裏カバーとの関係を示す扉を省略した状態の斜視図である。
【図１３】操作ユニットから引手を分離し、規制部材と引手の関係を示した斜視図である。
【図１４】解錠状態における引手と規制部材との関係を示す部分縦断面図である。
【図１５】施錠状態における引手と規制部材との関係を示す部分縦断面図である。
【発明を実施するための形態】
【００１７】
次に、添付図面に示した実施形態に基づき、本発明を更に詳細に説明する。図１及び２は本発明に係る開閉扉付きキャビネットを示し、図３は扉を示し、図４〜図１５は本発明の詳細を示し、図中符号Ａはキャビネット、１は筐体、２は扉、３は引手、４は施錠具、５はラッチ、６は操作ユニット、７は裏カバーをそれぞれ示している。
【００１８】
本発明のキャビネットＡは、筐体１の前面開口部に開閉可能に扉２，２を設け、該扉２には、引手３と施錠具４及び前記引手３に連動して筐体１の框部に係脱するラッチ５とを備えた構造である。ここで、前記引手３と施錠具４は、合成樹脂製で一体成形された操作ユニット６に組み込み、前記扉２の背面側に嵌着して取付けるとともに、該操作ユニット６を合成樹脂で一体成形した裏カバー７で外覆することで、前記操作ユニット６の前記扉２に対する嵌合状態を維持すると同時に、前記扉２を開いたときの外観性を改善している。
【００１９】
先ず、前記扉２は、図３、図５及び図６に示すように、表面板８は、周囲を背面側に折曲して縁板９を形成するとともに、上面と両側面は更に内向きに補強板１０を折曲形成し、更に補強板１０の内縁を表面板８に向かって折曲して折曲板１１を形成している。そして、前記扉２の表面板８であって遊端側の側縁部には、前記操作ユニット６に組み込んだ前記引手３を前面側に出現させるために引手開口部１２を形成しているが、該引手開口部１２の口縁は背面側へ約１３５°に折曲して傾斜板１３を形成し、該傾斜板１３の一部、本実施形態では両上下部にそれぞれ１箇所、側縁部から離れた側に二箇所に９０°の向き、つまり表面板８に対して直角に係合片１４，…を形成し、該係合片１４には係合孔１５を有している。また、前記操作ユニット６に組み込んだ前記施錠具４は、本実施形態ではシリンダー錠１６としたので、該シリンダー錠１６の鍵穴１７が表面側に臨むように前記表面板８に孔１８を形成している。
【００２０】
本実施形態では、前記操作ユニット６を前記扉２の背面側に前記係合片１４と側縁部の補強板１０及び折曲板１１を利用して嵌着する前に、前記ラッチ５を引手３に連動させるためのラッチ駆動機構１９を前記扉２の遊端側背面に取付けている。前記ラッチ駆動機構１９は、扉２の遊端側に沿って配置するシャフト２０と、該シャフト２０の中間位置にシャフト２０に対して回転不能に外嵌した連動部材２１と、前記ラッチ５を回動可能に支持して前記扉２の遊端側コーナー部に取付けるラッチ受け部材２２とからなり、前記シャフト２０の端部は前記ラッチ５の軸部に供回り回転不能に嵌挿している。尚、前記シャフト２０は角棒で構成し、前記連動部材２１はシャフト２０の側方から嵌合し、前記ラッチ５の軸部は軸方向から嵌挿している。ここで、前記操作ユニット６を前記扉２の背面側に嵌着すると同時に、該操作ユニット６の内部に前記シャフト２０を受け入れて、前記引手３と連動部材２１が連係し、該引手３を手前に引く動作で前記ラッチ駆動機構１９を介して前記ラッチ５が筐体１の上下框部の係合孔１Ａに対する係合が解除される方向に回転するようになっている。また、前記ラッチ受け部材２２は、正面視略Ｌ字形の部材であり、前記扉２のコーナー部を挟んで両辺部に嵌合し、地震によって前記筐体１に揺れ、変形が生じて前記ラッチ５に大きな力が加わっても、前記扉２の縁部、特に上下縁部の変形を抑制するようになっている。
【００２１】
具体的に、前記操作ユニット６を前記扉２の背面側に嵌着するとともに、該操作ユニット６に裏カバー７を装着する構造を図４〜図１１に基づいて説明する。前記扉２の表面板８には、前記操作ユニット６の引手３を前面側に出現させるために前記引手開口部１２を形成するとともに、該引手開口部１２の周囲に複数の係合片１４を背面側へ向けて形成し、前記操作ユニット６の本体部２３に前記係合片１４に係合する弾性爪２４，…を形成し、前記操作ユニット６の弾性爪２４を前記扉２の係合片１４に内外から係合した状態で、前記操作ユニット６を覆うように装着した裏カバー７の内部に突設したサポート部２５を、前記弾性爪２４の背後に当接して、前記係合片１４に対する係合解除を規制している。
【００２２】
更に詳しくは、前記操作ユニット６の本体部に２３は、前面開放した引手装着空間２６を有する引手枠部２７を形成するとともに、該引手枠部２７の周囲に間隔を置いて外枠部２８を形成し、前記引手枠部２７と外枠部２８の間は後方へ開放した挿入空間２９となっており、前記引手枠部２７の外側に対応する前記外枠部２８に前記弾性爪２４を一体成形し、前記裏カバー７のサポート部２５を前記挿入空間２９内に受け入れて前記弾性爪２４の背後に当接している。前記弾性爪２４は、内外へ弾性変形可能なように成形されているが、前記係合片１４の係合孔１５に係合した後、前記裏カバー７を嵌着すると前記サポート部２５が背後に当接するので、係合孔１５から抜ける方向の変位が規制され、係合状態が確実に維持されるのである。
【００２３】
また、図４、図１１及び図１２に示すように、前記操作ユニット６の本体部２３に設けた前記引手枠部２７の一側の前記外枠部２８に、前記施錠具４を保持する前面開口の施錠具収容部３０を形成し、該施錠具収容部３０にシリンダー錠１６を保持している。また、前記操作ユニット６の本体部２３には、前記係合片１４を受け入れる係合片挿入空間３１を形成し、前記弾性爪２４は該係合片挿入空間３１に臨んでいる。
【００２４】
前記操作ユニット６の本体部２３の一側縁には、図４、図８及び図１０に示すように、前記扉２の遊端側の縁部、つまり折曲板１１に係止する係止段部３２を形成している。そして、図８に示すように、前記操作ユニット６の係止段部３２を前記扉２の遊端側の折曲板１１に斜めから係止し、それから該操作ユニット６を表面板８の背面へ接合すると、前記係合片挿入空間３１内に、前記扉２の係合片１４を受け入れて該係合片１４の係合孔１５に前記弾性爪２４が係合する。この状態で、前記引手開口部１２から引手３が露出し、前記孔１８からシリンダー錠１６の鍵穴１７が露出するのである。尚、本発明では、前記施錠具４は、シリンダー錠のように機械式に限らず、電子式でテンキー操作や、タッチパネル式の制御パネルを備えたものでも良い。
【００２５】
ここで、前記扉２の表面板８に形成した引手開口部１２の口縁を背面側へ鋭角に折曲して傾斜板１３を形成し、該傾斜板１３の一部に前記表面板８に対して直角に係合片１４を形成して、該係合片１４を引手開口部１２の口縁から前記表面板８の背後に退避させることにより、この退避部分に引手枠部２７を位置させることができ、該引手枠部２７の前端を前記引手開口部１２に露出させないようにすることができる。尚、この目的のために、前記傾斜板１３を形成したが、その角度は１３５°に限定されないが、１２０°〜１５０°程度が製造工程の都合上好ましい。また、前記係合片１４を引手開口部１２の口縁から前記表面板８の背後に退避させる方法として、前記引手開口部１２の口縁をハゼ折り、つまり１８０°の向きに折曲することも可能であるが、ハゼ折り加工には２回のプレス加工が必要であり、工数が増えるのでコスト高となる。
【００２６】
前記裏カバー７は、図４、図９及び図１０に示すように、前記操作ユニット６を外覆可能なボックス状であり、内部空間には前記サポート部２５を突設し、前縁には前記扉２の遊端側の折曲板１１に係止する係止爪３３を形成するとともに、両側面の内側に係合爪３４，３４を形成している。そして、前記裏カバー７を前記操作ユニット６を覆うように装着するには、図９及び図１０に示すように、先ず該裏カバー７を傾斜させて前記係止爪３３を前記扉２の遊端側の折曲板１１に係止し、それから前記操作ユニット６に被せるように嵌合すると、前記係合爪３４，３４が前記操作ユニット６の本体部２３の両側面に形成した係合段部３５に係止するのである。この際、前述のように、前記裏カバー７のサポート部２５が弾性爪２４の背後に当接する。また、前記裏カバー７の背面には、図９〜図１１に示すように、シリンダー錠１６を施錠・解錠操作するキー３６を挿通して保管するキーポケット３７を一体成形している。
【００２７】
次に、施錠機構及び前記引手３とラッチ駆動機構１９の連係について図４、図７、図１０〜図１５に基づいて説明する。本発明に係る扉の開閉装置の要部である施錠機構は、前記扉２の表面板８に形成した引手開口部１２に臨むように前記引手３の指掛け部３８を配置するとともに、該指掛け部３８から延びたアーム部３９の先端部を前記表面板８の背面側位置で回動可能に枢支し、前記アーム部３９の中間部と前記表面板８間で該表面板８に接して配置し、前記施錠具４の施錠・解錠操作によって前記引手３の回動中心軸に平行な方向へスライド変位する規制部材４０を備え、前記アーム部３９の中間部に凸部４１と凹部４２を形成するとともに、前記規制部材４０に解錠状態で前記アーム部３９の凸部４１を受け入れて引手３の回動を許容する逃がし凹部４３と、施錠状態で前記アーム部３９の凸部４１に当止して引手３の回動を規制する規制凸部４４を形成したことを特徴とする。
【００２８】
更に詳しくは、前記引手３のアーム部３９の中間部に、該引手３の回動中心軸に平行な方向へ一定間隔で交互に前記凸部４１と凹部４２を複数形成するとともに、前記規制部材４０の前記表面板８に対する摺動面４５と反対側に、該規制部材４０のスライド方向へ一定間隔で交互に前記規制凸部４４と逃がし凹部４３を複数形成している。本実施形態では、前記引手３のアーム部３９の凸部４１と、前記規制部材４０の規制凸部４４は、３箇所に形成し、それぞれその両側と間に凹部４２と逃がし凹部４３を４箇所に形成している。
【００２９】
前記操作ユニット６の本体部２３には、前記引手装着空間２６から連続した位置に、前記引手３のアーム部３９の先端両側部に突設した支軸４６，４６を回動可能に支持する軸受部４７，４７を形成している。前記支軸４６，４６を軸受部４７，４７に無理嵌めして枢支する。前記規制部材４０は、前記扉２の表面板８に沿う直線状の制御部４８を、前記操作ユニット６の本体部２３の引手枠部２７から外枠部２８に亘って形成したガイド溝４９，４９に遊挿して前記表面板８とで取り囲んでスライド可能に支持し、前記制御部４８からクランク状に屈曲して延びた連係部５０の設けた連結部５１を前記施錠具収容部３０内で前記シリンダー錠１６のデッドボルト５２に連係させている。そして、前記シリンダー錠１６の施錠・解錠操作に伴って前記デッドボルト５２が変位し、該デッドボルト５２に連係した前記規制部材４０がスライド変位して、前記凸部４１と凹部４２の位置を前記引手３の規制凸部４４と逃がし凹部４３に対して変化させるのである。
【００３０】
ここで、前記引手３は中心線で対称に形成してあり、前記操作ユニット６の本体部２３に設ける施錠具収容部３０の位置が反対になっても前記規制部材４０を反転させて使用できるように、前記凸部４１と凹部４２、規制凸部４４と逃がし凹部４３の関係は反転しても対称な形状となっている。
【００３１】
次に、前記引手３とラッチ駆動機構１９の連係について説明する。前記ラッチ５を端部に固定し、前記扉２の表面板８の背面に回動可能に装着したシャフト２０の中間位置に、連動部材２１を回転に対して一体に設け、該連動部材２１に側設した連動片５３を前記引手３のアーム部３９に形成した凸部４１に連続して前記引手３の回動中心軸に平行な方向へ延びた操作突起５４に常時当接した状態としている。
【００３２】
前記操作ユニット６の本体部２３に前記引手３を回動可能に設けるとともに、前記施錠具４及び規制部材４０を組み込み、更に前記引手３のアーム部３９の前面側で回動中心軸と前記凸部４１との間にアーチ状の凹陥部５５を設けるとともに、その延長線上の前記本体部２３に前面側へ開放したＵ字凹部５６を形成し、前記操作ユニット６を前記扉２の表面板８の背面に取付ける際に、前記シャフト２０を前記本体部２３のＵ字凹部５６に、前記連動部材２１を前記引手３の凹陥部５５に受け入れると同時に、前記連動片５３を前記アーム部３９の操作突起５４に当接してなるのである。
【００３３】
前記連動部材２１の両端部であって、前記連動片５３を設けた側とは反対側に押圧片５７，５７を側設し、該押圧片５７の先端部に圧縮コイルばね５８を装着し、前記操作ユニット６を扉２の背面に取付けた際に、本体部２３のＵ字凹部５６の近傍に設けた当止面５９に圧縮コイルばね５８を圧縮状態で当止し、前記連動片５３が前記引手３の操作突起５４を押圧する方向に弾性付勢している。つまり、前記ラッチ５が筐体１の框部の係合孔１Ａに係合する方向に弾性付勢されている。
【００３４】
前記引手３は、図１０に示すように、指掛け部３８が滑らかに湾曲した面となっている。前記指掛け部３８は奥部になるにつれて後退しており、表面からの厚さが増すような形状であるので、前記引手３を合成樹脂製で一体成形すると、成形上、前面側の肉をとってリブを形成せざるを得ない。そこで、本実施形態では、図４、図１０及び図１３に示すように、前記指掛け部３８の前面側に、別部材で成形した化粧部材６０を嵌合して、前面をフラットにしている。前記引手３を操作ユニット６の引手装着空間２６に装着した状態では、前面側からは前記化粧部材６０のみが見えるようになっている。具体的には、前記化粧部材６０の一側縁の係合縁６１を前記指掛け部３８の先端に係合した状態で、他側縁に形成した係合片６２，６２をアーム部３９の凹部４２に設けた係合爪６３，６３に係合して一体化する。尚、前記引手３のアーム部３９の側面と前記化粧部材６０の外面とは面一に連続してあたかも一体成形物のように見えるようになっている。
【００３５】
図１４は解錠状態を示し、前記引手３のアーム部３９の凸部４１と凹部４２は、それぞれ前記規制部材４０の逃がし凹部４３と規制凸部４４の位置にあり、前記指掛け部３８に指を掛けて手前に引手３を引くと、前記引手３の凸部４１は前記規制部材４０の逃がし凹部４３に進入し、前記引手３の凹部４２に前記規制部材４０の規制凸部４４を受け入れて回動し、前記操作突起５４と凸部４１で、前記ラッチ駆動機構１９の連動部材２１の連動片５３を押して、前記シャフト２０を回転させ、前記ラッチ５を係合が解除され、前記扉２を開くことができる。
【００３６】
図１５は施錠状態を示し、前記キー３６をシリンダー錠１６の鍵穴１７に差し込んで施錠方向へ回転させると、前記デッドボルト５２を介して前記規制部材４０がスライド変位し、前記引手３のアーム部３９の凸部４１は、それぞれ前記規制部材４０の規制凸部４４に当接する位置になり、前記指掛け部３８に指を掛けて手前に引手３を引いても、前記引手３の凸部４１が前記規制部材４０の規制凸部４４に当止し、該規制部材４０の背面は前記扉２の表面板８に摺接しているので、前記引手３は回転しない。つまり、前記ラッチ５は係合状態のままで、前記扉２は開かないのである。
【符号の説明】
【００３７】
Ａ  キャビネット、
１  筐体、              ２  扉、
３  引手、              ４  施錠具、
５  ラッチ、            ６  操作ユニット、
７  裏カバー、          ８  表面板、
９  縁板、              １０  補強板、
１１  折曲板、          １２  引手開口部、
１３  傾斜板、          １４  係合片、
１５  係合孔、          １６  シリンダー錠、
１７  鍵穴、            １８  孔、
１９  ラッチ駆動機構、  ２０  シャフト、
２１  連動部材、        ２２  ラッチ受け部材、
２３  本体部、          ２４  弾性爪、
２５  サポート部、      ２６  引手装着空間、
２７  引手枠部、        ２８  外枠部、
２９  挿入空間、        ３０  施錠具収容部、
３１  係合片挿入空間、  ３２  係止段部、
３３  係止爪、          ３４  係合爪、
３５  係合段部、        ３６  キー、
３７  キーポケット、    ３８  指掛け部、
３９  アーム部、        ４０  規制部材、
４１  凸部、            ４２  凹部、
４３  逃がし凹部、      ４４  規制凸部、
４５  摺動面、          ４６  支軸、
４７  軸受部、          ４８  制御部、
４９  ガイド溝、        ５０  連係部、
５１  連結部、          ５２  デッドボルト、
５３  連動片、          ５４  操作突起、
５５  凹陥部、          ５６  Ｕ字凹部、
５７  押圧片、          ５８  圧縮コイルばね、
５９  当止面、          ６０  化粧部材、
６１  係合縁、          ６２  係合片、
６３  係合爪。
【図１】
0006620470.tif 000002
【図２】
0006620470.tif 000003
【図３】
0006620470.tif 000004
【図４】
0006620470.tif 000005
【図５】
0006620470.tif 000006
【図６】
0006620470.tif 000007
【図７】
0006620470.tif 000008
【図８】
0006620470.tif 000009
【図９】
0006620470.tif 000010
【図１０】
0006620470.tif 000011
【図１１】
0006620470.tif 000012
【図１２】
0006620470.tif 000013
【図１３】
0006620470.tif 000014
【図１４】
0006620470.tif 000015
【図１５】
0006620470.tif 000016